(57)【要約】【課題】面格子を取付けるサッシ側の取付部を小さくできる面格子取付具の提供を目的とする。【解決手段】ブラケットは面格子取付板部と、面格子取付板部の躯体側に位置し且つ面格子取付板部より短い躯体側板部と、両板部を外周側で繋ぐ外周側板部と、躯体側板部の内周側から面格子取付板部側に向けて突設した内周側板部とを有し、内周側板部はサッシ枠の見付け板部から躯体側に向けて突設した見込み板部の内周側に位置し、面格子取付板部をサッシ枠の見付け板部に固定ネジで固定し、そのネジ軸部が内周側板部の内周側に位置し、取付ネジを用いて、面格子の取付片及び面格子取付板部の取付ネジ挿通孔を挿通して躯体側板部の取付ネジ孔に螺合して内周側板部をサッシ枠の見付け板部側に引き寄せ、面格子取付板部と内周側板部の先端部とでサッシ枠の見付け板部を挟持している。【選択図】  図１
2006241865.tif 000002
【特許請求の範囲】
【請求項１】
ブラケットと、取付ネジと、固定ネジとを備え、
ブラケットは、躯体と平行で面格子側に位置する面格子取付板部と、躯体と平行で面格子取付板部の躯体側に位置し且つ面格子取付板部より短い躯体側板部と、面格子取付板部と躯体側板部とを面格子の外周側で繋ぐ外周側板部と、躯体側板部の内周側から面格子取付板部側に向けて突設した内周側板部とを有し、
面格子取付板部は、取付ネジを通す取付ネジ挿通孔と、固定ネジを通す固定ネジ挿通孔とを有し、取付ネジ挿通孔は固定ネジ挿通孔よりも外周側に位置し、
躯体側板部は、取付ネジを螺合する取付ネジ孔を有し、
内周側板部は、サッシ枠の見付け板部の外周側から躯体側に向けて突設した見込み板部の内周側に位置し、
面格子取付板部の面格子側面を面格子に設けた取付片に重合してあるとともに、面格子取付板部のサッシ枠側面をサッシ枠の見付け板部に重合してあり、
固定ネジは、固定ネジ挿通孔を挿通してサッシ枠の見付け板部に螺合してブラケットをサッシ枠に固定するものであり、且つネジ軸部が内周側板部の内周側に位置し、
取付ネジは、面格子の取付片及び取付ネジ挿通孔を挿通して躯体側板部の取付ネジ孔に螺合して面格子をブラケットに取り付けるとともに、内周側板部をサッシ枠の見付け板部側に引き寄せるものであり、面格子取付板部と内周側板部の先端部とでサッシ枠の見付け板部を挟持していることを特徴とする面格子取付具。
【請求項２】
面格子取付板部は、固定ネジの締結によりサッシ枠の見付け板部に食い込む係止部を有していることを特徴とする請求項１記載の面格子取付具。
【発明の詳細な説明】
【技術分野】
【０００１】
本発明は、サッシ枠に面格子を取付ける取付具に関する。
【背景技術】
【０００２】
躯体に取付けたサッシ枠に面格子を取付ける方法として、金具等の取付具を用いる方法は公知である。
この種の取付方法として、従来は図６（イ）に示すようにサッシ枠１０１の外周側に見付け板部１０２を形成し、取付具１１０に形成した面格子取付板部１１１と躯体側板部１１２とでサッシ枠の見付け板部とを挟み込むようにして、面格子から突設した取付片１２０と取付具１１０とサッシ枠の見付け板部１０２を取付ネジ１１３にて締結していた。
従って、面格子を強固に支えるにはサッシ枠の見付け板部１０２と取付具１１０を強固に固定する必要があり、図６（ロ）に示すようにサッシ枠の見付け板部の幅Ｌ２寸法が大きくならざるを得なかった。
しかし、サッシ枠の見付け板部の幅が大きくなると、それだけ外観上の見映えが悪くなるだけでなく、サッシ枠１０１と躯体側の外装材１０３等との間をシール剤１０４等でコーキングする際に、サッシ枠の見付け板部が邪魔になりシール剤の充填作業がしづらかった。
【０００３】
【非特許文献１】三協アルミニウム工業株式会社  カタログＮｏ．ＨＨＪＯ３６７Ａ，ノイスタＲ装飾スクリーン，８４５ページ
【発明の開示】
【発明が解決しようとする課題】
【０００４】
本発明は、上記背景技術に鑑みて面格子を取付けるサッシ枠側の取付部を小さくできる面格子取付具の提供を目的とする。
【課題を解決するための手段】
【０００５】
本発明に係る面格子取付具は、ブラケットと、取付ネジと、固定ネジとを備え、ブラケットは、躯体と平行で面格子側に位置する面格子取付板部と、躯体と平行で面格子取付板部の躯体側に位置し且つ面格子取付板部より短い躯体側板部と、面格子取付板部と躯体側板部とを面格子の外周側で繋ぐ外周側板部と、躯体側板部の内周側から面格子取付板部側に向けて突設した内周側板部とを有し、面格子取付板部は、取付ネジを通す取付ネジ挿通孔と、固定ネジを通す固定ネジ挿通孔とを有し、取付ネジ挿通孔は固定ネジ挿通孔よりも外周側に位置し、躯体側板部は、取付ネジを螺合する取付ネジ孔を有し、内周側板部は、サッシ枠の見付け板部の外周側から躯体側に向けて突設した見込み板部の内周側に位置し、面格子取付板部の面格子側面を面格子に設けた取付片に重合してあるとともに、面格子取付板部のサッシ枠側面をサッシ枠の見付け板部に重合してあり、固定ネジは、固定ネジ挿通孔を挿通してサッシ枠の見付け板部に螺合してブラケットをサッシ枠に固定するものであり、且つネジ軸部が内周側板部の内周側に位置し、取付ネジは、面格子の取付片及び取付ネジ挿通孔を挿通して躯体側板部の取付ネジ孔に螺合して面格子をブラケットに取り付けるとともに、内周側板部をサッシ枠の見付け板部側に引き寄せるものであり、面格子取付板部と内周側板部の先端部とでサッシ枠の見付け板部を挟持していることを特徴とする。
また、面格子取付板部は、固定ネジの締結によりサッシ枠の見付け板部に食い込む係止部を有していると固定性が向上する。
【０００６】
ここで、取付ネジを面格子側の取付片からブラケットの面格子取付板部の取付ネジ挿通孔に挿通し、躯体側板部の取付ネジ孔に螺合するように締結すると、ブラケットの躯体側板部が面格子側に倒れ込むように引き寄せ変形し、ブラケットの内周側板部の先端と面格子取付板部とでサッシ枠の見込み板部を確実に挟持する。
【発明の効果】
【０００７】
請求項１記載の発明においては、ブラケットの面格子取付板部に設けた固定ネジ挿通孔から固定ネジを挿通してサッシ枠に形成した見付け板部に固定するとともに、取付ネジを用いてサッシ枠の見込み板部の外周側で面格子側に設けた取付片とブラケットとを取付け、且つ、取付ネジの螺合にてブラケットの面格子取付板部と内周側板部の先端とでサッシ枠側を挟持するようにしたので、取付具を小さくできて且つサッシ枠の見付け板部の幅寸法が従来に比較して小さくできるので、サッシ枠の外観見映えが向上しサッシ枠と躯体側との間のシール作業がしやすくなる。
また、ブラケットの内周側板部が、サッシ枠の見付け板部の外周側から躯体側に向けて突設した見込み板部の内周側に位置しているので、仮に固定ネジが緩んでも内周側板部がサッシ枠の見込み板部に引っかかり面格子は外れない。
請求項２記載の発明においては、ブラケットの面格子取付板部に係止部を設けたので、固定ネジで締結する際にサッシ枠の見付け板部に係止部が食い込み、固定が強固になる。
【発明を実施するための最良の形態】
【０００８】
図４に、本発明に係る取付具１を用いて躯体側に取付けたサッシ枠１０に面格子５０を連結した斜視図を示す。
面格子は、横格子、たて格子、クロス格子、枡格子等各種格子に適用できる。
【０００９】
図１にサッシ枠１０と面格子取付片５１との取付部を示す。
サッシ枠（たて枠）１０側には、外周部に沿って見付け板部１１を形成し、見付け板部の外周側端部から躯体側に向けて見込み板部１２を形成してある。
取付具１は、ブラケット２０と固定ネジ３０と取付ネジ４０とで構成している。
ブラケット２０は、図２、図３に示すように、面格子側になり、躯体とほぼ平行に位置する面格子取付板部２１と面格子取付板部２１の躯体側に位置し、躯体とほぼ平行で且つ面格子取付板部２１より内外周方向幅が短い躯体側板部２２を有している。
面格子取付板部２１と躯体側板部２２とは、外周側を外周側板部２４で繋いであり、躯体側板部２２の内周側端部には面格子側に折り返して突設した内周側板部２３を有している。
図１（イ）に示すように、ブラケット２０の内周側板部２３がサッシ枠側の見込み板部１２の内周側に位置するように配置し、スクリューネジ等の固定ネジ３０を面格子取付板部に形成した固定ネジ挿通孔２８からサッシ枠の見付け板部１１に螺進してサッシ枠にブラケット２０を固定する。
この際に、ブラケット２０の面格子取付板部に切り起こしした係止部２５を形成してあるので、この係止部がサッシ枠に食い込む。
【００１０】
次に、図１（ロ）に示すように面格子５０からサッシ枠側に突設した面格子取付片５１の取付部５１ａに形成した取付孔５１ｂから取付ネジ４０の先を挿通し、サッシ枠の見込み板部１２の外周側に位置し、且つ、面格子取付板部に形成した取付ネジ挿通孔２７を経由して躯体側板部に形成した取付ネジ孔２６に螺合する。
この状態で取付ネジ４０を締め付けると、躯体側板部２２が面格子取付板部２１側に引き寄せられるように変形し、内周側板部２３の先端部と面格子取付板部２１とでサッシ枠の見付け板部１１を挟持する。なお、図１（ロ）には、分かりやすくするために実際よりも大きく変形して現してある。
この場合に、サッシ枠１０の見付け板部１１の幅寸法は固定ネジ３０の軸部３１が入り込み、ブラケット２０の内周側板部２３が入り込む幅があればよい。
従って、サッシ枠の見付け板部の幅寸法を小さくできるので図５に示すように、サッシ枠１０と外装材（躯体側）１３との間のシール剤１４のコーキング作業がしやすい。
また、ブラケットの内周側板部の先端でサッシ枠の見付け板部１１を押さえるようにし、サッシ枠の見込み板部１２を包み込むようになるので取付具も小さくできる。
ブラケットの躯体側板部２２を取付ネジ４０で締め付け引き寄せる際に、引き寄せる先に内周側板部２３を形成しているので大きく変形できる。
【図面の簡単な説明】
【００１１】
【図１】サッシ枠と面格子との取付部を示す。
【図２】本発明に係る取付具を構成するブラケットを示す。
【図３】ブラケットの例を示す。
【図４】サッシ枠に面格子を取付けた例を示す。
【図５】サッシ枠外周部のシール部分を示す。
【図６】従来の取付具例を示す。
【符号の説明】
【００１２】
１０    サッシ枠
１１    サッシ枠の見付け板部
１２    サッシ枠の見込み板部
２０    ブラケット
２１    面格子取付板部
２２    躯体側板部
２３    内周側板部
２４    外周側板部
２５    係止部
２６    取付ネジ孔
２７    取付ネジ挿通孔
２８    固定ネジ挿通孔
３０    固定ネジ
４０    取付ネジ
５０    面格子
５１    面格子取付片
【図１】
2006241865.tif 000003
【図２】
2006241865.tif 000004
【図３】
2006241865.tif 000005
【図４】
2006241865.tif 000006
【図５】
2006241865.tif 000007
【図６】
2006241865.tif 000008